(57)【要約】【課題】高価な大型木材を不要とし、また梱包作業の手数も削減して梱包コストの低減を図ることができる長尺物品梱包箱を提供する。【解決手段】縦長の金属製パレット１０の上面に垂直ガイド１３を適宜間隔で立設し、これらの垂直ガイド１３に木製または樹脂製の支持体１４をはめ込み、横置きされた長尺物品Ｗの下半部を受ける。そして金属製パレット１０の上部全体を、蓋１１で覆う。支持体１４は合板製とすることができ、平板部１６を分割式として長尺物品Ｗの歪み等に対応できるように現場で位置調整が可能であることが好ましい。【選択図】図２
2007030934.tif 000002
【特許請求の範囲】
【請求項１】
縦長の金属製パレットの上面に、この金属製パレット上に横置きされた長尺物品の下半部を受ける木製または樹脂製の支持体を適宜間隔で立設するとともに、この金属製パレットの上部全体を蓋で覆ったことを特徴とする長尺物品梱包箱。
【請求項２】
木製または樹脂製の支持体が、金属製パレット上に適宜間隔で設けられた垂直ガイドに取り付けられたものであることを特徴とする請求項１記載の長尺物品梱包箱。
【請求項３】
木製または樹脂製の支持体が、合板よりなることを特徴とする請求項１記載の長尺物品梱包箱。
【請求項４】
木製または樹脂製の支持体が、長尺物品の下半部の形状に対応する凹部を備えたものであることを特徴とする請求項１記載の長尺物品梱包箱。
【発明の詳細な説明】
【技術分野】
【０００１】
本発明は、長尺物品を輸送するために用いられる長尺物品梱包箱の改良に関するものである。本明細書において長尺物品とは、大型碍管、ブッシングのような脆性材料からなる長尺碍子のほか、撓み易い長尺金属構造物のような長さが数ｍに及ぶ物品をも包含するものである。
【背景技術】
【０００２】
例えば長さが５ｍに達するような長尺碍子を船舶あるいはトラックで輸送する場合には、輸送中の長尺物品を損傷から保護するために長尺の梱包箱が用いられている。従来の長尺物品碍子の梱包箱は、図５に示すように、松のような強度のある木材を底部架台１とした木箱が一般的であった。その内部には横置きされた長尺碍子の胴部（笠間の谷部）を上下から挟む支持板２が多数配置されている。
【０００３】
ところが長尺碍子は重量物であるので、梱包箱にも強度が要求され、特に底部架台１には変形を避けるために断面積が大きく、長さが５ｍ〜６ｍ以上の大型木材が必要となる。しかしそのような大型木材は樹齢の高い樹から製材されるものであるから高価であり、梱包箱のコストが嵩むこととなる。しかも輸出の場合には、輸出先によっては松くい虫などの病害虫を防止するために木製の梱包箱についても加熱処理を要求されることがあり、これもコストアップ要因となっている。
【０００４】
また、重量物である長尺碍子の入った木製の梱包箱をクレーンで吊り上げた場合、梱包箱全体が大きく弓形に湾曲するおそれがある。このため長尺碍子の胴部を上下から挟む支持板２の数を多くして長尺碍子の荷重を分散させており、これらの支持板２は現場合わせて製作され釘で固定しているので、梱包作業の手数も嵩むという問題があった。
【０００５】
なお、長尺碍子の梱包に関する特許文献はほとんど見当たらず、わずかに特許文献１、２に示されるような梱包技術が知られている程度である。特許文献１は懸垂碍子の梱包枠であり、特許文献２はガス入りのコンデンサブッシングの梱包箱に関するものである。特許文献２には図５に示した梱包箱と類似のものが開示されている。
【特許文献１】特公昭４８-３９２７７号公報
【特許文献２】特開平１-１１５０１６号公報
【発明の開示】
【発明が解決しようとする課題】
【０００６】
本発明は上記した従来技術の問題点を解決し、高価な大型木材を不要とし、また梱包作業の手数も削減して梱包コストの低減を図ることができる長尺物品梱包箱を提供するためになされたものである。
【課題を解決するための手段】
【０００７】
上記の課題を解決するためになされた本発明の長尺物品梱包箱は、縦長の金属製パレットの上面に、この金属製パレット上に横置きされた長尺物品の下半部を受ける木製または樹脂製の支持体を適宜間隔で立設するとともに、この金属製パレットの上部全体を蓋で覆ったことを特徴とするものである。
【０００８】
なお、木製または樹脂製の支持体が、金属製パレット上に適宜間隔で設けられた垂直ガイドに取り付けられたものであることが好ましく、木製または樹脂製の支持体を、合板よりなるものとすることができる。また木製または樹脂製の支持体が、長尺物品の形状に対応する凹部を備えたものであることが好ましい。
【発明の効果】
【０００９】
本発明の長尺物品梱包箱は、金属製パレットの上面に長尺物品の下半部を受ける木製または樹脂製の支持体を適宜間隔で立設したものであるから、従来のような高価な大型木材を必要とせず、しかも長尺物品との接触部分は木製または樹脂製とすることにより、長尺物品が磁器製の長尺碍子のような脆性材料であっても、傷つけることなく輸送することができる。また金属製パレットの上部全体を蓋で覆ってあるので、上方からの落下物があっても長尺物品は保護される。
【００１０】
さらに、金属製パレットはアングルなどの型鋼を用いることによって高い剛性を持たせることができるので、梱包箱をクレーンで吊り上げた場合にも湾曲しにくい。このため支持体の枚数も従来の木箱よりも減少させることができ、特に実施形態に示すようなはめ込み式の支持板を用いれば交換も容易であるから、梱包作業の手数を削減して梱包コストの大幅な低減を図ることができる。
【発明を実施するための最良の形態】
【００１１】
以下に図面を参照しつつ、本発明の好ましい実施形態を示す。
図１は本発明の長尺物品梱包箱の実施形態を示す全体斜視図、図２はその蓋を開いた状態の斜視図、図３は要部の拡大図、図４は長尺物品を梱包した状態の斜視図である。この実施形態では長尺物品Ｗは多数の笠を備えた長さ約５.５ｍの長尺碍子（磁器製ブッシング）である。
【００１２】
図１、図２において、１０は本発明の長尺物品梱包箱の底面を構成する金属製パレットであり、１１はその上部全体を覆う木製の蓋である。金属製パレット１０は鋼鉄製のＬ型鋼、Ｃ型鋼、角パイプ等の鋼材を枠状に溶接したもので、底面には適当数の型鋼（チャンネル）１２を溶接してフォークリフトのフォークを挿入できるようになっている。金属製パレット１０は縦長のもので、この実施形態では全長約６ｍ，幅約１ｍである。このような金属製パレット１０は、同一サイズの従来の木材製底部架台に比較して、軽量で撓みにくく、しかも安価である。
【００１３】
この金属製パレット１０の上面には、適宜間隔で垂直ガイド１３が立設されている。垂直ガイド１３は図３に拡大して示すように金属製パレット１０の左右に対向させて計４本のＬ型鋼を溶接したものであり、その内部に支持板１４を落とし込むようにして嵌め込める構造となっている。垂直ガイド１３の間隔はブッシングの径が太く重量の大きい基部側では狭く、先端側では広くなっているが、金属製パレット１０の剛性が高いため、図５に示した木箱よりも数を減らしても差し支えない。
【００１４】
支持板１４は両側壁と底板とからなる外枠部１５と、長尺物品Ｗの下半部を受ける平板部１６とからなる。これらはいずれも木製または樹脂製であり、磁器製の長尺物品Ｗを支持しても長尺物品Ｗを傷つけないように配慮されている。なお好ましい実施形態では、支持板１４はポプラ材などの合板製である。合板は安価で強度があるうえ、製造工程において高温で加圧成形されるため、輸出先の検疫基準を満足する利点がある。支持板１４の平板部１６には、長尺物品Ｗの笠間の谷部形状に対応する半円状凹部１７が形成されている。その深さは当然ながらブッシングの基部側では深く、先端側では浅くなっている。
【００１５】
支持板１４は金属製パレット１０の垂直ガイド１３に外枠部１５を嵌めて用いられるが、磁器製の長尺物品Ｗは焼成工程において焼成歪みが生じ、設計図通りに焼成できないことがある。このため垂直ガイド１３の位置を設計図通りに決定して溶接しておいても、支持板１４の平板部１６が長尺物品Ｗの笠間の谷部に数ｍｍ単位で正確に位置しない可能性がある。このため支持板１４の平板部１６を外枠部１５とは別体としておき、現場合わせで平板部１６の位置を調整したうえ、外枠部１５に側面から釘打ちによって固定できるようにしておくことが好ましい。
【００１６】
このようにして金属製パレット１０の垂直ガイド１３にそれぞれ支持板１４を嵌め、クレーンで水平に吊り上げた長尺物品Ｗを支持板１４の上に置く。このとき各支持板１４の半円状凹部１７が長尺物品Ｗであるブッシングの笠間の谷部に嵌り、谷部を支持するようにする。これによって輸送中に長尺物品Ｗが軸線方向にずれることも防止することができる。なお、長尺物品Ｗは樹脂シートなどにより予め包んでおくことが好ましい。
【００１７】
この状態では長尺物品Ｗの下側は支持板１４間に嵌った状態となるが、上側は支持板１４上に露出したままである。そこでゴムバンドなどで金属製パレット１０に強固に固定し、さらにその上に木製の蓋１１を被せて輸送中にほこりが掛かったり、上部からの落下物により損傷したりすることを防止する。木製の蓋１１は強度を要しないので安価な木材で製造できる。なおこの蓋１１は図２に示すように長手方向に２分割式としておくと梱包作業が行い易い。蓋１１と長尺物品Ｗとの間の空間には適当な充填物を詰めておくことが好ましい。
【００１８】
以上に説明した実施形態では長尺物品Ｗが長尺碍子（ブッシング）であったが、変形し易い大型の金属構造物なども同様に梱包することができる。このように、本発明の長尺物品梱包箱は長尺碍子その他の長尺物品Ｗを安全に輸送するに適したものであり、従来のような高価な大型木材を必要としない。また、金属製パレットに高い剛性を持たせることができるので、梱包箱をクレーンで吊り上げた場合にも湾曲しにくく、支持体の枚数も従来の木箱よりも減少させることができる。このように本発明は梱包コストの大幅な低減を図ることができるものである。
【図面の簡単な説明】
【００１９】
【図１】本発明の長尺物品梱包箱の実施形態を示す全体斜視図である。
【図２】蓋を開いた状態の斜視図である。
【図３】要部の拡大斜視図である。
【図４】長尺物品を梱包した状態の斜視図である。
【図５】従来の木箱の全体斜視図である。
【符号の説明】
【００２０】
Ｗ  長尺物品
１  従来の木箱の底部架台
２  従来の支持板
１０  金属製パレット
１１  木製の蓋
１２  型鋼
１３  垂直ガイド
１４  支持板
１５  外枠部
１６  平板部
１７  半円状凹部
【図１】
2007030934.tif 000003
【図２】
2007030934.tif 000004
【図３】
2007030934.tif 000005
【図４】
2007030934.tif 000006
【図５】
2007030934.tif 000007